(57)【要約】      （修正有）【課題】水道圧を利用し歯周病対策、食べカス取り、歯肉の引き締め等、口内洗浄である、従って水道圧を利用する際、器具使用の煩わしさ及び危険性を無くし日常の必需品にする歯周病予防ブラシの提供。【解決手段】第１弁４を水道圧調整に第２弁２を水流調整と考え、この２個弁の連鎖活動により瞬時の水流止め、瞬時の水流出しを可能にした。目的の異なる２個弁の使用により日常、安全容易に使用可能となる。【選択図】図１
0003112621.tif 000002
【実用新案登録請求の範囲】
【請求項１】
水道の給水管から三又の配水管により水道圧を直接、歯周病予防ブラシ本体に送る。ブラシ本体の後部に取り付けられた水圧調整弁ハンドルコックが水圧を受け止める、この弁は長時間水圧を受け止めることを意図した水道の蛇口的存在のため水漏れ等に耐える金属性の強度なものであり、取り付けられたホースもそれに準ずる。このコック弁により水道圧の強弱を調整する。ハンドルコック弁を開いても水圧調整だけでブラシ本体の噴射口からはまだ水流は出ない。第２弁の押しボタン弁が水流をうけとめている。この押しボタンを押すことにより弁口が水流と接続され瞬時に水が飛び出す、指を離すと瞬時に止まる、結果として２個の調整弁を使用し、この連鎖活動により歯周病予防ブラシ、本考案が構成される。
【考案の詳細な説明】
【技術分野】
【０００１】  本考案は口腔内洗浄（歯間の食べカス除去、歯肉マッサージ）等、に於ける歯周病予防器具である。
【背景技術】
【０００２】  従来手動歯ブラシや電動による方法が主である、従って歯ブラシや磨き粉も多種になり自己の症状により選別出来る状況下にある、しかし年齢が進むにつれ歯間が広くなり歯ブラシだけでは食べカス等、完全除去には時間がかかるようになりそこで歯間ブラシ、糸楊枝、等の除去器具が必要となる。歯間ブラシや各種楊枝は使用を誤ると結果として歯肉に傷を付けてしまい歯肉炎の原因にもなりかねない、水流式で電源を必要とする器具も多種あるが日常頻繁に使用するには器具使用の煩わしさが伴なう時があり又、高価になるのが通常と考えられる。
【考案の開示】
【考案が解決しようとする課題】
【０００３】  歯の治療に行くと医師が歯磨きの方法や歯間ブラシの使用方法を技術的に説明してくれるが実際問題として歯ブラシ毛の強弱及び手の力加減は日常のなれた習慣から脱却することは困難をともない忙しい時などつい雑になる、従って歯間の奥に入ったものを除去するには限られてしまい完全除去は困難と言わざるをえない、水流式食べカス取り等もあるが容器に水を入れるため面倒になる常時、器具を手に取れば安全にすぐ使用できすぐ終了収納が可能で迅速に食べカス等を除去出来ることが目的であり同時に器具使用の煩わしさを無くすことにある。、本考案は日常気楽に使用出来、歯間洗浄や歯周病等の雑菌を洗い流す効率化を低価で提供することにある。
【課題を解決するための手段】
【０００４】  本考案歯周病予防ブラシに於ける解決方法として図面１の２と４の調整弁２個を備えたことを特徴とする。両手で本体を持ちハンドルコックの調整弁を開ける、この際コック弁の開き方次第で水圧の調整が出来る、ハンドル調整弁から出た水流はプラスチック製ブラシ本体直径３ミリの穴を通り第２弁の押しボタン式調整弁に送られこの弁により止められる、止められた水流は指先１本で釦を押すことにより図面１の２と４の弁口が接続され噴射口より水流が飛び出す、指先を釦から離すと水流は瞬時に止まる、この２個弁の連鎖活動により片手で噴射口を歯間に当て指先で釦を押すことができる、釦の押し方強弱により水流も自由に操作可能であり水流飛び出しの危険性も２個弁の調整により回避出来る
【考案の効果】
【０００５】  本考案は指先１本で水流を自由に取り扱い出来ることにより歯間の食べカス取り口腔洗浄、歯茎の引き締め、又歯肉に傷を付けることもなく安全で容易な器具使用を可能にした歯周病予防ブラシである。
【考案を実施するための最良の形態】
【０００６】  以下この考案全体の形態を図面参照の上説明する。洗面台下の水道管図面１の７三又配管を取り付け水道圧を筒状のプラスチック製歯周病予防ブラシ本体へ直接送る、本体後部に取り付けた図面１の４ハンドルコック弁が受け止めるこのコック弁は常時水道圧を受け止め水道蛇口の役割であり水圧に十分耐えうるものである、この１個弁だけの場合コック弁を開けると水流の飛び出しが早く戸惑いや危険性を伴ない洗面台に顔を押付けるようにしてコック弁を開けなければならない従って図面１の４ハンドルコック弁はあくまで水道圧に対する調整弁でなくてはならない、このコック弁や三又配水管及び本体に継ぐホース等はホームセンターの水道コーナーやコンプレッサー器具コーナーに於いて十分耐えられる素材が多数見受けられる、図面１の４コック弁で調整された水道圧は本体プラスチック製の穴を通り図面１の２押し釦式調整弁によって止められる、この調整弁は本器具の使用時だけであり水道圧を直接受け続けることはないのでプラスチック製で十分耐えうるものと判断した、この釦弁の水流口下噴射口方向に図面２の１７排水口１ミリＸ１ミリの切り込み溝を付け押し釦の活動を容易にした、また弁の水流口が反転しないように図面２の１２と１５の反転防止溝をつける。噴射口の先端は内径１ミリのプラスチック製で使用者別に簡単に取替え可能にすることも出来る。使用後はハンドルコックを閉めブラシ本体を洗面台脇に図面１の６を噴射口を上に掛け収納する。
【実施例】
【０００７】  洗面台脇に掛けてあるブラシ本体をはずしハンドルコック弁を少し開く、噴射口を洗面台中央に向け押し釦弁を押す、洗面台に噴射される水流の強弱を確認の上押し釦を指からはなしてからハンドルコック弁を適度に調整する口内に噴射口を入れ押し釦を軽く押し水流を確認後指先の強弱で調整する。押し釦を指から離すと水流は瞬時に止まる。歯間に噴射口をあて指先を押したり離したりして洗浄する。使用後は必ずハンドルコック弁を閉めて噴射口を洗面台に向け押し釦を押し水を切り噴射口を上にして洗面台に掛ける。
【図面の簡単な説明】
【０００８】
【図１】歯周病予防ブラシの平面図である。
【図２】押し釦弁の分解図と水流弁の動きである
【図３】ハンドルコック弁水圧調整の動きである
【符号の説明】
【０００９】１  水流噴射口                    １３  ビス止め穴
２  釦式瞬間水流出し、止め弁      １４  瞬間水流出し、止め弁本体
３  歯周病予防ブラシ本体          １５  反転防止
４  ハンドルコック水圧調整弁      １６  水流口
５  ホース                        １７  弁下排水溝
６  収納掛け                      １８  水流弁全押し全開
７  三又配管                      １９  水流弁半押し半開
８  押し釦弁の断面図              ２０  水流弁無押し全閉
９  押し釦                        ２１  ハンドルコック弁全開圧強
１０  弁上げバネ                  ２２  ハンドルコック弁全閉圧止め
１１  中押さえ                    ２３  ハンドルコック弁半開圧中
１２  反転防止溝
【図１】
0003112621.tif 000003
【図２】
0003112621.tif 000004
【図３】
0003112621.tif 000005
【手続補正書】
【提出日】平成17年4月19日(2005.4.19)
【手続補正１】
【補正対象書類名】実用新案登録請求の範囲
【補正対象項目名】全文
【補正方法】変更
【補正の内容】
【実用新案登録請求の範囲】
【請求項１】
器具後部に取り付けられた水圧調整用ハンドルコック弁と、水流の出、止めをコントロールする押しボタン弁と、この２個弁を繋ぐ握り部本体の領域及び、取替え可能な噴射ノズル、以上の具を備えた歯周病予防ブラシ。